(57)【特許請求の範囲】
【請求項１】
ブドウ糖由来の天然高分子多糖類を含む０．０５〜３重量％のチキソトロピック性付与剤と、
Ｎａ、Ｋ、Ｃａ又はＭｇの塩化物からなる１００〜１０，０００ｐｐｍの水溶性塩類と、
０．１〜３５重量％の洗浄成分、０．１〜２０重量％の忌避成分又は０．１〜５０重量％の栄養分と、
を含有し、
残部が水であり、
噴霧装置に充填されていること、を特徴とする噴霧装置入りのチキソトロピック性組成物。
【請求項２】
請求項１に記載のチキソトロピック性組成物からなる洗浄剤。
【請求項３】
請求項１に記載のチキソトロピック性組成物からなる忌避剤。
【請求項４】
請求項１に記載のチキソトロピック性組成物からなる飼料。
【発明の詳細な説明】
【技術分野】
【０００１】
本発明は、例えば壁面等に塗布した場合に垂れにくいチキソトロピック性組成物に関する。
【背景技術】
【０００２】
従来から、家庭内外の壁面、ＴＶやパソコンモニターの画面、窓硝子または網戸などの傾斜面や垂直面、更には天井面などの被洗浄面を洗浄しようとする場合、主成分として界面活性剤および水溶性溶剤などを含む洗浄液をそのまま、または、水で所定の濃度に希釈した後に、布や雑巾などに含ませ、被洗浄面に塗布し、塗布した洗浄液を汚れとともに拭き取る方法が行われている。【０００３】
なかでも、被洗浄面が大面積を有する場合には、ハンドトリガー式スプレー容器などを用い、洗浄液を被洗浄面に噴射により塗布し、布やブラシなどでふき取る方法が行われている。【０００４】
ところが、上記のようなハンドトリガー式スプレー容器などを用いる従来の洗浄方法においては、大面積の傾斜面、垂直面および天井面などの被洗浄面に、洗浄液を噴射すると、目的とする被洗浄面の部分に洗浄液が滞留せずに液垂れしてしまうため、所定の時間を経過した後には洗浄液を再度噴射せねばならなかったり、また、洗浄を望んでいない部分および水分や洗浄液を嫌う部分（例えば、畳、無垢材およびＴＶやパソコン内部など）に洗浄液が垂れていき、不都合が発生したりすることがあった。【０００５】
このような問題を解決する方法として、洗浄液の粘度を増大させることにより、傾斜面、垂直面および天井面などの被洗浄面に塗布した後に付着・滞留して液垂れしにくいハンドトリガー式スプレー容器を用いた洗浄液が提案されているが、洗浄液は必ずしも霧状では噴射されず、棒状に噴射されることが多く、被洗浄面以外の部分に飛び散ったりすることから、実用性に欠ける面があった。【０００６】
また、このような問題を解決する方法として、各種の増粘化技術が提案されている。例えば特許文献１（実用新案登録第３１５１８０６号公報）、特許文献２（特開平１１−２６３９９８号公報）および特許文献３（特開２００１−１７２６８８号公報）においては、無機系増粘剤としてセピオライト系粘土鉱物を添加することにより、チキソトロピック性（チキソトロピー性）を有する洗浄剤とし、市販のハンドトリガー式スプレー容器で洗浄剤を霧状に噴射（噴霧）し、洗浄剤を目的とする被洗浄面に適確に塗布する方法が提案されている。
【先行技術文献】
【特許文献】
【０００７】
【特許文献１】実用新案登録第３１５１８０６号公報
【特許文献２】特開平１１−２６３９９８号公報
【特許文献３】特開２００１−１７２６８８号公報
【発明の概要】
【発明が解決しようとする課題】
【０００８】
しかしながら、上記特許文献において提案されている洗浄剤では、チキソトロピック性を付与するために、２〜３重量％（上記特許文献１：実用新案登録第３１５１８０６号公報）、１〜１０重量％（上記特許文献２：特開平１１−２６３９９８号公報）または０．１〜１０重量％（好ましくは１〜５重量）％（上記特許文献３：特開２００１−１７２６８８号公報）の無機系鉱物を増粘剤として添加することが提案されており、いずれにおいても無機系鉱物の添加量が多い。【０００９】
このように、従来の洗浄剤では、水に溶解しない無機系鉱物からなる増粘剤が多量で使用されているため、コストもかかり、被洗浄面に塗布した後に洗浄剤を拭き取る場合、当該拭き取りを完全に行わなければ、乾燥後に無機系鉱物が被洗浄面に付着したままとなって拭き残り（汚れ）が発生し易く、例えば風呂場の床など洗浄に使用すると、洗浄後の床に無機系鉱物が残ってしまい、滑り易くなってしまうことがある。【００１０】
また、従来の洗浄剤を、例えば、毛足の長い絨毯やぬいぐるみなどの洗浄に使用した場合、濡れタオルで拭き取りを行っても、無機系鉱物が乾燥後にホコリとなって残り不快であるという問題がある。【００１１】
そこで、本発明の目的は、上記のような無機系鉱物からなる増粘剤を含むことによってチキソトロピック性を有する従来の洗浄剤の問題点を解決し、傾斜面、垂直面および天井面などの被洗浄面の塗布部分に液垂れすることなく滞留して洗浄成分の本来の効果を充分に発揮させることができ、かつ、チキソトロピック性を付与するための増粘剤の添加量が少なく、拭き残り及びこれに起因する問題（汚れ、滑り、長いすすぎ時間など）が発生し難い洗浄剤を提供することにある。
【課題を解決するための手段】
【００１２】
上記の課題を解決すべく、本発明者らは、種々の材料を用いて鋭意実験を繰り返した結果、被洗浄面の塗布部分に液垂れすることなく滞留して有効成分の本来の効果を充分に発揮させることができ、かつ、チキソトロピック性を付与するための増粘剤の添加量が少なく、拭き残り及びこれに起因する問題が発生し難い洗浄剤を得るためには、ブドウ糖由来の天然高分子多糖類を含むチキソトロピック性付与剤と、水と、水溶性塩類と、を用いれば、有効であることを見出した。また、この、特に、この本発明のチキソトロピック性組成物が、洗浄剤、忌避剤又は飼料などとして好適に利用できることを見出し、本発明を完成するに至った。【００１３】
即ち、本発明は、
ブドウ糖由来の天然高分子多糖類を含むチキソトロピック性付与剤と、
水と、
水溶性塩類と、
洗浄成分、忌避成分又は栄養分と、
を少なくとも含有し、
噴霧装置に充填されていることを特徴とする噴霧装置入りチキソトロピック性組成物（以下、単に「チキソトロピック性組成物」ともいう。）を提供する。【００１４】
本発明のチキソトロピック性組成物の特徴は、無機系鉱物からなる増粘剤をチキソトロピック性付与剤として用いる上記従来の技術とは異なり、ブドウ糖由来の天然高分子多糖類からなる、いわゆる有機系のチキソトロピック性付与剤と、水溶性塩類と、水を含んでいる点にある。従来、このようなブドウ糖由来の天然高分子多糖類は洗浄剤等に用いられることはなかったが、本発明者が鋭意実験を繰り返して検討した結果、ブドウ糖由来の天然高分子多糖類は洗浄剤、忌避剤又は飼料に用いることができかつ上記課題を解決するために有効であることを見出し、本発明を完成するに至った。【００１５】
本発明のチキソトロピック性組成物は、有機系のチキソトロピック性付与剤を用いていることから、傾斜面、垂直面および天井面などの被洗浄面の塗布部分に液垂れすることなく滞留してその他の有効成分（例えば洗浄成分、忌避成分又は栄養分など）の本来の効果を充分に発揮させることができ、かつ、チキソトロピック性を付与するための増粘剤の添加量が少なく、拭き残り及びこれに起因する問題（汚れ、滑り、長いすすぎ時間など）が発生しないという顕著な効果を奏する。忌避成分を含む忌避剤の場合は、蚊やゴキブリなどを泡とチキソトロピック性とで捕捉しつつ忌避剤で殺虫などが可能であり、栄養分を含む飼料の場合は、クヌギの木などに塗布するとその場に継続して付着しているため、カブトムシやクワガタなどの昆虫の捕獲に好適である。後者の場合、チキソトロピック性付与剤が、これら昆虫に害とならないというメリットもある。【００１６】
本発明で使用される「ブドウ糖由来の天然高分子多糖類を含むチキソトロピック性付与剤」としては、代表的なものとして、例えばジェランガム、ウェランガムおよびキサンタンガムなどの微生物発酵系増粘剤などを挙げることができる。また、ジェランガムとしては、下記式の上側の脱アシル型であっても、下記式の下側のネイティブ形のいずれであってもよい。
【化１】
0005391364.tif 000002
【００１７】
また、ジェランガムとしては、例えば米国ケルコ社製の「ケルコゲル」（商品名）などが挙げられ、キサンタンガムとしては、例えば米国ケルコ社製の「ケルザン」（商品名）などが挙げられる。なかでも、上記ケルコゲルは、米国においてはＦＤＡから認可を受けている一方、日本国においても食品添加物として認可を受けており、人体に対する安全性が高いという特徴を有する。本発明のチキソトロピック性組成物は、家庭内外で使用するものであるため、偶発的に口や目に入ってしまうおそれもあるが、このような上記ケルコゲルからなるチキソトロピック性付与剤を用いると、安全性の観点からより好ましい。【００１８】
また、上記本発明のチキソトロピック性組成物は、
０．０５〜３重量％の前記チキソトロピック性付与剤と、
１００〜１０，０００ｐｐｍの前記水溶性塩類と、
０．１〜３５重量％の前記洗浄成分、０．１〜２０重量％の前記忌避成分又は０．１〜５０重量％の前記栄養分と、を含み、
残部が水であること、が好ましい。【００１９】
このような構成を有する本発明のチキソトロピック性組成物は、従来に比してチキソトロピック性付与剤の添加量が少なくても、発泡して被洗浄面の塗布部分に液垂れすることなく滞留して洗浄成分の本来の効果を充分に発揮させることができ、かつ、拭き残り及びこれに起因する問題（汚れ、滑り、長いすすぎ時間など）が発生しない。【００２０】
また、上記本発明のチキソトロピック性組成物は、洗浄剤として用いる場合は、洗浄成分（例えば０．１〜３５重量％）を含む。この場合、更に洗浄補助成分を含有すること、が好ましい。この洗浄補助成分の含有量は例えば０．１〜１０重量％でよい。【００２１】
また、上記本発明のチキソトロピック性組成物は、忌避剤として用いる場合は、忌避成分を含み、飼料として用いる場合は、栄養分を含む。これらの含有量としては、本発明の効果を損なわない範囲で適宜調整すればよい。
【発明の効果】
【００２２】
本発明によれば、発泡により傾斜面、垂直面および天井面などの被洗浄面の塗布部分に液垂れすることなく滞留してその他の有効成分（例えば洗浄成分、忌避成分又は栄養分など）の本来の効果を充分に発揮させることができ、かつ、チキソトロピック性を付与するための増粘剤の添加量が少なく、拭き残り及びこれに起因する問題（汚れ、滑り、長いすすぎ時間など）を発生し難いチキソトロピック性組成物を実現することができる。
【図面の簡単な説明】
【００２３】
【図１】本発明のチキソトロピック性組成物の一実施形態である洗浄剤に好適に用いることのできるトリガー式スプレー容器の一例を示す側面図である。
【発明を実施するための形態】
【００２４】
以下に、本発明のチキソトロピック性組成物の代表的な実施形態について説明する。本発明のチキソトロピック性組成物は、ブドウ糖由来の天然高分子多糖類を含むチキソトロピック性付与剤と、水と、水溶性塩類と、洗浄成分、忌避成分又は栄養分と、を含む。用途に応じて、洗浄成分、忌避成分又は栄養分を含み、また、その他の任意成分を含有し得る。
【００２５】
先に述べたとおり、本発明のチキソトロピック性組成物の特徴は、ブドウ糖由来の天然高分子多糖類からなる、いわゆる有機系のチキソトロピック性付与剤を含んでいる点にある。この「ブドウ糖由来の天然高分子多糖類を含むチキソトロピック性付与剤」としては、代表的なものとして、例えば米国ケルコ社製のジェランガム（商品名：ケルコゲル）およびキサンタンガム（商品名：ケルザン）などを挙げることができ、それぞれ単独で、または、本発明の効果を損なわない範囲で適宜組み合わせて用いることができる。
【００２６】
ここで、本発明のチキソトロピック性組成物における上記チキソトロピック性付与剤の含有量は、本発明の効果を損なわない範囲であればよいが、従来に比して少なく、０．０５〜３重量％であればよい。
【００２７】
更に、本発明のチキソトロピック性組成物における上記チキソトロピック性洗浄剤組成物の含有量について、下限は、０．１重量％であるのが好ましく、０．３重量％であるのが更に好ましい。また、上限は、２．０重量％であるのが好ましく、１．０重量％であるのが更に好ましい。
【００２８】
このように本発明のチキソトロピック性組成物におけるチキソトロピック性付与剤は、ブドウ糖由来の天然高分子多糖類を含み、当該ブドウ糖由来の天然高分子多糖類のみでもゲル化によりチキソトロピック性付与効果及び増粘効果を有するが、より少ない添加量でこれらの効果を発揮するという観点から、本発明のチキソトロピック性組成物は水溶性塩類、例えば１価または２価の金属イオンを含む水溶性塩類を含む。
【００２９】
このような金属イオンとしては、例えばＮａ、Ｋ、ＣａおよびＭｇなどが挙げられ、これら金属イオンは、例えば、塩化物の形態で本発明のチキソトロピック性組成物に添加されるのが好ましい。すなわち、本発明のチキソトロピック性組成物は金属イオン源として、例えばＮａ、Ｋ、ＣａおよびＭｇなどの塩化物を含有するのが好ましい。なかでも、安全性などの観点から、塩化カルシウム（ＣａＣｌ2）を金属イオン源として含有するのが好ましい。
【００３０】
本発明のチキソトロピック性組成物における水溶性塩類の含有量は、例えば、１００〜１００００ｐｐｍあればよい。１００ｐｐｍ以上であれば、上記ブドウ糖由来の天然高分子多糖類の添加量が少なくても充分にチキソトロピック性付与効果及び増粘効果を発揮することができ、また、１００００ｐｐｍ以下であれば、チキソトロピック性組成物を塗布した後の拭き取りで被洗浄面に残ることもなく、安全性も損ないにくい。また、金属イオンがＣａの場合は、なかでも２４０〜５６０ｐｐｍであるのが好ましく、金属イオンがＮａの場合は、なかでも５０００〜７０００ｐｐｍであるのが好ましい。
【００３１】
次に、本発明のチキソトロピック性組成物は、洗浄剤として用いる場合には、洗浄成分を含むが、かかる洗浄成分は従来公知の成分であってよい。市販の洗浄剤を洗浄成分として用いてもよい。
【００３２】
かかる洗浄成分としては、一般的な界面活性剤を用いてよい。例えば漂白洗浄成分、アルカリ洗浄成分、酸性洗浄成分を、それぞれ単独で、または、本発明の効果を損なわない範囲で適宜組み合わせて用いることができる。界面活性剤、漂白洗浄成分、アルカリ洗浄成分および酸性洗浄成分のそれぞれについても、単一種の材料、または、本発明の効果を損なわない範囲で適宜組み合わせた複数種の材料を用いることができる。
【００３３】
界面活性剤としては、通常の洗浄用に用いられるものであれば特に制限されるものではなく、陰イオン界面活性剤、非イオン界面活性剤、陽イオン界面活性剤および両性界面活性剤のいずれを用いてもよい。
【００３４】
陰イオン系界面活性剤としては、例えば、カルボン酸塩、高級アルコール硫酸エステル塩、高級アルキルエーテル硫酸エステル塩、動植物油硫酸化塩、脂肪酸エステル硫酸化塩、α―オレフィン硫酸化塩、ノルマルパラフィン硫酸化塩、アルキルベンゼンスルホン酸塩、アルキルナフタレンスルホン酸塩、ジアルキルスルホサクシネート塩および高級アルコール燐酸エステル塩などが挙げられる。具体的には下記のものも使用できる。
【００３５】
【表１】
0005391364.tif 000003
【００３６】
また、非イオン系界面活性剤としては、例えば、高級アルコールエチレンオキサイド付加物、アルキルフエノ一ルエチレンオキサイド付加物、脂肪酸エチレンオキサイド付加物、多価アルコール脂肪酸エステルエチレンオキサイド付加物、高級アルキルアミンエチレンオキサイド付加物、脂肪酸アルカノ一ルアミドエチレンオキサイド付加物、油脂のエチレンオキサイド付加物、エチレンオキサイド・プロピレンオキサイドのブロック共重合体、エチレンオキサイド・プロピレンオキサイド・ブチレンオキサイド共重合体、ショ糖の脂肪酸エステル、多価アルコールのアルキルエーテル、アルカノ一ルアミン類の脂肪酸アミド、高級アルコール、アルキルフェノ一ル、脂肪酸、多価アルコール、高級アルキルアミン、脂肪酸アミド、油脂または脂肪酸アルカノ一ルアミドなどの活性水素含有化合物にブチレンオキサイドおよび／またはプロピレンオキサイドをブロック付加重合し、次いでエチレンオキサイドを付加重合した共重合体などが挙げられる。具体的には下記のものも使用できる。
【００３７】
【表２】
0005391364.tif 000004
【００３８】
また、陽イオン性界面活性剤としては、例えば塩化または臭化アルキルトリメチルアンモニウム、および塩化または臭化アルキルジメチルベンジルアンモニウムなどが挙げられる。
【００３９】
【表３】
0005391364.tif 000005
【００４０】
両性イオン界面活性剤としては、例えば、アルキルジメチルアンモニウムベタイン、アルキルアミノプロピオン酸塩、アルキルジヒドロキシエチルベタイン、ラウリルイミダゾールベタイン、およびアルキルアミンオキサイドなどが挙げられる。
【００４１】
【表４】
0005391364.tif 000006
【００４２】
また、漂白洗浄成分としては、例えば、次亜塩素酸ソーダ、安定化二酸化塩素および亜塩素酸などが挙げられる。酸性洗浄剤としては、例えば、塩酸、硫酸、硝酸およびリン酸などの無機酸、ならびに、例えば、クエン酸、リンゴ酸、フマル酸、酒石酸、乳酸、酢酸および蓚酸などの有機酸などが挙げられる。アルカリ洗浄成分としては、例えば、水酸化ナトリウム、水酸化カリウム、炭酸ナトリウム、炭酸カリウム、ケイ酸ナトリウムおよびメタケイ酸ナトリウムなどが挙げられる。
【００４３】
ここで、本発明のチキソトロピック性組成物（洗浄剤）における上記洗浄成分の含有量は、本発明の効果を損なわない範囲であればよく、目的や用途により適宜調整することが可能であるが、概ね下限は０．１重量％であればよく、上限は３５重量％であればよい。更には、本発明のチキソトロピック洗浄剤組成物における上記洗浄成分の含有量の下限は、０．３重量％であるのが好ましく、０．５重量％であるのが更に好ましい。また、本発明のチキソトロピック洗浄剤組成物における上記洗浄成分の含有量の上限は、１０重量％であるのが好ましく、５重量％であるのが更に好ましい。
【００４４】
また、本発明のチキソトロピック性組成物（洗浄剤）は、更に洗浄補助成分を含むこと、が好ましい。かかる洗浄補助成分としては、例えば、水溶性溶剤、エチレングリコールモノブチルエーテルおよびジエチレングルコールモノメチルエーテルなどの水溶性グリコールエーテル類、ＥＤＴＡおよびＮＴＡなどのキレート化合物など等が挙げられる。
【００４５】
この洗浄補助成分の含有量は、本発明の効果を損なわない範囲で適宜選択すればよいが、例えば０．１〜１０重量％でよく、０．３〜８．０重量％であるのが好ましく、１．０〜５．０重量％であるのが特に好ましい。
【００４６】
次に、本発明のチキソトロピック性組成物は、忌避剤に適用する場合、従来公知の忌避成分を含む。かかる忌避成分を以下に例示する。
【００４７】
【表５】
0005391364.tif 000007
【００４８】
また、本発明のチキソトロピック性組成物は、飼料に適用する場合、従来公知の栄養分（成分）を含む。かかる栄養分を以下に例示する。
【００４９】
【表６】
0005391364.tif 000008
【００５０】
本発明のチキソトロピック性組成物は、上記の成分を常法により適宜混合することにより調製することができる。ただし、チキソトロピック性付与剤を添加する際には、塊（ままこ）ができたり発泡が起きたりしないように攪拌条件などを設定するのが好ましい。
【００５１】
洗浄剤を調製する場合は、例えば、まず洗浄成分と、ブドウ糖由来の天然高分子多糖類を含むチキソトロピック性付与剤と、その他の任意成分（金属イオン（源）など）と、を混合し、得られた混合物を、例えば８０〜１００℃程度に加熱して攪拌する。ついで、前記混合物を自然冷却し、その温度が４０〜５０℃程度になった時点で、偏ったゲル化などを防ぐために、例えば１００〜３００ｒｐｍ程度の低回転数で攪拌する。これにより好適に本発明のチキソトロピック性組成物を調製することができる。
【００５２】
なお、本発明のチキソトロピック性組成物は、上記の成分以外にも、通常の洗浄剤、忌避剤又は飼料のそれぞれの用途に応じて添加される成分を、その他の任意成分として、本発明の効果を損なわない範囲で含んでいてもよい。その他の任意成分としては、例えば着色剤などが挙げられる。発泡剤の種類は、所望する本発明のチキソトロピック性洗浄剤組成物のｐＨに応じて、当業者であれば適宜選択することが可能であり、例えば、アルカリ性領域であれば陰イオン系の発泡剤、酸性領域であれば両性または陽イオン系の発泡剤を用いればよい。
【００５３】
特に、本発明のチキソトロピック性組成物は、例えば、後述する図１に示すトリガー式スプレー容器に用いられる場合、霧状に噴射されて飛散する。洗浄成分が飛散せずより実用的である。また、発泡成分を添加すると、噴霧されたチキソトロピック性組成物が被洗浄面に付着した際に発泡するため、噴霧箇所が一目でわかるというメリットもある。
【００５４】
また、本発明のチキソトロピック性組成物のｐＨは、所望する本発明のチキソトロピック性組成物のｐＨや上記チキソトロピック性付与剤の種類などに応じて、当業者であれば各成分の組合せや配合比により適宜選択することが可能であり、１〜１４の範囲で調整可能である。汎用の観点からは、中性領域であるのが好ましい。より具体的には、ｐＨの下限は、５程度であるのが好ましく、６程度であるのが更に好ましい。また、ｐＨの上限は、１１程度であるのが好ましく、９程度であるのが更に好ましい。
【００５５】
良好なチキソトロピック性を得るという観点から、例えば、上記チキソトロピック性付与剤がジェランガムの場合は、本発明のチキソトロピック性組成物のｐＨはアルカリ性領域（例えばｐＨ８〜１１）であるのが好ましく、また、上記チキソトロピック性付与剤がキサンタンガムの場合は、本発明のチキソトロピック性組成物のｐＨは酸性領域（例えばｐＨ１〜５）であるのが好ましい。
【００５６】
続いて、図１に、本発明の一実施形態に係るチキソトロピック性組成物からなるチキソトロピック性洗浄剤に好適に用いることのできる噴霧装置であるトリガー式スプレー容器の一例を示す。図１に示すトリガー式スプレー容器入りチキソトロピック性洗浄剤１は、チキソトロピック性洗浄剤２と、トリガー式スプレー容器本体３と、トリガー式噴霧器４とで構成されている。
【００５７】
容器本体３は、チキソトロピック性洗浄剤２を内部に収容するための容器であり、使用者が内部に収容されたチキソトロピック性洗浄剤２を視認することができるように、例えば、透明性熱可塑性樹脂などの透明性を有する材料で形成するのが好ましい。
【００５８】
また、トリガー式噴霧器４は、容器本体３の頭部に着脱自在に取り付けられており、容器本体３の内部に収容されたチキソトロピック性洗浄剤２を被洗浄面に霧状に噴射（噴霧）するための噴射機構５と噴射機構５を駆動するためのトリガー機構６とで構成されている。
【００５９】
噴射機構５は、容器本体３の内部に収容されたチキソトロピック性洗浄剤２を輸送する送出パイプ５ａと、送出パイプ５ａの端部に連結された吸入弁５ｂと、吸入弁５ｂに連結されたポンプ部５ｃと、ポンプ部５ｃに連結された吐出弁５ｄと、吐出弁５ｄから噴射口５ｆに伸びる発射パイプ５ｅと、発射パイプ５ｅの端部に取り付けられた噴射口５ｆとで構成されている。
【００６０】
トリガー機構６は、発射パイプ５ｅの下部に前後に揺動可能なように軸支されたトリガーレバー６ａと、トリガーレバー６ａとポンプ部５ｃとを連結するロッド６ｂと、トリガーレバー６ａを元の位置に復帰させるスプリング（図示せず。）とで構成されている。
【００６１】
チキソトロピック性洗浄剤２は、容器本体３内部に収容されている状態では、特に煎断力が付与されている状態ではないため、換言すれば低煎断速度域の状態にあり、高い粘性を有する洗浄剤であるものの流動性の高い液体のような外観を呈している。また、容器本体３は透明性を有する材料で形成されており、使用者からは、流動性の高い液体のチキソトロピック性洗浄剤２がトリガー式スプレー容器入りチキソトロピック性洗浄剤１に含まれているように認識される。
【００６２】
使用者がトリガーレバー６ａを手前に引くと、ロッド６ｂはトリガーレバー６ａと連動して手前に押し込まれることによりポンプ部５ｃを圧縮し、ポンプ部５ｃ内のチキソトロピック性洗浄剤２を加圧する。加圧されたチキソトロピック性洗浄剤２は、吐出弁５ｄから発射パイプ５ｅに圧送されるとともに、図示しない空気孔から吹き込まれる空気と混合され、噴射口５ｆから噴射される。チキソトロピック性洗浄剤２には、噴射の際に高煎断力が付与され（すなわち、高煎断速度域の状態になり）、低い粘性を有する洗浄剤となるって噴射口５ｆから困難なく噴射される。
【００６３】
チキソトロピック性洗浄剤２は、被洗浄面に付着した際には、再度低煎断速度域となり高い粘性を有する洗浄剤となるから、垂れ落ちず被洗浄面に対する洗浄力を十分に発揮させることができる。被洗浄面に付着したチキソトロピック性洗浄剤２は、使用者が布や雑巾などで拭う際には、再度高煎断速度域となって低い粘性を有するから、使用者は被洗浄面にチキソトロピック性洗浄剤２を困難なく拭き広げたり拭き取ったりすることができる。
【００６４】
以上、本発明のチキソトロピック性組成物について説明したが、以下に具体的な洗浄剤としての実施例を説明する。
【実施例】
【００６５】
≪実施例１：洗浄剤≫
３００ミリリットルのビーカーに、市販の洗浄剤（花王（株）製の油汚れマジックリン）を２００グラム（２グラムの洗浄成分：アルキルアミンオキサイドを含む。）採取し、米国ケルコ社製のジェランガム（商品名：ケルコゲル＃７００）を１グラムを、ママコにならないように撹拌しながら投入した。ジュランガムの投入完了後の液状組成物について、３００〜５００ｒｐｍで１０分間以上、発泡が起きないように注意しながら撹拌を継続した。その後、上記ビーカーをウォーターバスに入れ、上記液状組成物の温度を８５〜９０℃まで上昇させ、そのまま５分間以上温度を保持した。
次に、別に用意した塩化カルシウム５％溶液を１０グラム、上記ビーカーに添加して撹拌をした。そのまま上記ビーカーを静置して自然冷却し、上記液状組成物の温度が５０℃になった時点で、１００〜２００ｒｐｍで撹拌し、室温に冷却されるまで撹拌を継続し、室温到達時点を終点として、本発明のチキソトロピック性組成物からなる洗浄剤を調製した（ｐＨ１１）。最後に、以上のようにして得た本発明のチキソトロピック性洗浄剤を、図１に示す構造を有する容量３００ミリリットルのトリガー式スプレー容器に充填した。【００６６】
≪実施例２：洗浄剤≫
３００ミリリットルビーカーに、水１２５グラムを採取し、米国ケルコ社ジェランガム（商品名：ケルコゲル＃７００）１グラムを、ママコにならないように撹拌しながら投入した。その後、上記ビーカーをウオーターバスに入れ、上記液体組成物の温度を８５〜９０℃まで上昇させ、そのまま５分間以上好ましくは、１０分以上温度を維持した。
次に、別に用意した塩化ナトリウム１０％溶液を１０グラム、上記ビーカーに添加して撹拌をし、さらに花王（株）製のアンヒトール２４Ｂ（ラウリルジメチルアミノ酢酸ベタイン水溶液２６％）７５グラムを混合し、そのまま上記液状組成物を冷却しながら静置し、上記液体組成物のゲル化を促した。
ゲルが当該ビーカーを逆さにしても上記液状組成物であったものが、垂れ落ちないことを確認し、適当な器具例えばスパチュラ等で粗く砕き、撹拌機により５〜１０分間程度３００〜７００ｒｐｍ以上にて撹拌粉砕を継続した。撹拌粉砕時間はゲルの強度により加減することもできた。
最後に、以上のようにして得た本発明のチキソトロピック性組成物からなる洗浄剤を、図１に示す構造を有する容量３００ミリリットルのトリガー式スプレー容器に充填した。【００６７】
≪実施例３：忌避剤≫
３００ミリリットルビーカーに、水１８０ミリリットルを採取し、米国ケルコ社ジェランガム（商品名：ケルコゲル＃７００）１グラムを、ママコにならないように撹拌しながら投入した。その後、上記ビーカーをウオーターバスに入れ、上記液体組成物の温度を８５〜９０℃まで上昇させ、そのまま５分間以上好ましくは、１０分以上温度を維持した後、塩化ナトリウム１０％溶液を６グラム、上記ビーカーに添加して撹拌をし約７０℃以下まで冷却した。
別に、５０ミリリットルビーカーにエタノール２０ミリリットル採取しシトロネラ油０．７グラムを混合したものを、上記液体組成物に混ぜ合わせて、そのまま冷却しながら静置し、ゲル化を促した。
ゲルが当該ビーカーを逆さにしても上記液状組成物であったものが、垂れ落ちないことを確認し、適当な方法でゲルをクラッシュし、得られた本発明のチキソトロピック性組成物からなる忌避剤を、図１に示す構造を有する容量３００ミリリットルのトリガー式スプレー容器に充填した。【００６８】
≪実施例４：忌避剤≫
2００ミリリットルビーカーに、水１００ミリリットルを採取し、米国ケルコ社ジェランガム（商品名：ケルコゲル＃７００）1グラムを、ママコにならないように撹拌しながら投入した。その後、上記ビーカーをウオーターバスに入れ、上記液体組成物の温度を８５〜９０℃まで上昇させ、そのまま５分間以上好ましくは、１０分以上温度を維持した後、塩化ナトリウム１０％溶液を１０グラム、上記ビーカーに混合した。
別に、３００ミリリットルビーカーにニームオイル２０グラムとポリオキシエチレンソルビタントリオレエート６グラムを混合し、９０℃まで加熱した後、ガラス棒で拡販しながら沸騰水７４グラムを徐々に加えＯ／Ｗエマルジョンとした。
最後に、上記エマルジョンに上記液体組成物を混合した後そのまま冷却しながら静置し、ゲル化物を得た。ゲルが当該ビーカーを逆さにしても上記液状組成物であったものが、垂れ落ちないことを確認し、適当な方法でゲルをクラッシュし、得られた本発明のチキソトロピック性組成物からなる忌避剤を、図１に示す構造を有する容量３００ミリリットルのトリガー式スプレー容器に充填した。【００６９】
≪実施例５：飼料≫
３００ミリリットルビーカーに、水１８０グラムと砂糖９０グラムを混合溶解した後、米国ケルコ社ジェランガム（商品名：ケルコゲル＃７００）０．５４グラムと投入し、上記液体組成物の温度を８５〜９０℃まで上昇させ完全に溶解させた。それから、塩化ナトリウム10％溶液を５．４グラム、上記ビーカーに添加した後冷却しながら静置し、ゲル化物を得た。
ゲルが当該ビーカーを逆さにしても上記液状組成物であったものが、垂れ落ちないことを確認し、適当な方法でゲルをクラッシュし、得られた本発明のチキソトロピック性組成物からなる飼料（昆虫用）を、図１に示す構造を有する容量３００ミリリットルのトリガー式スプレー容器に充填した。【００７０】
≪比較例１≫
チキソトロピック性付与剤であるジェランガムを投入しなかった以外は実施例１と同様にして、比較用の洗浄剤組成物を調製し、トリガー式スプレー容器に充填した。【００７１】
［評価試験］
（１）上記のようにして得た本発明のチキソトロピック性組成物からなる洗浄剤を、トリガー式スプレー容器から被洗浄面であるガラス窓の一部（ガラス面）に噴射させた。その結果、ガラス面に付着した本発明のチキソトロピック性組成物からなる洗浄剤は、５分間経過しても液だれがなく、時間経過とともに洗浄剤組成物の破泡に伴って僅か液だれは始まるものの、１５分間経過してもそのままの位置に付着・滞留していた。また、ガラス面に付着・滞留しているチキソトロピック性洗浄剤組成物を雑巾で拭き取ったところ、ガラス面に拭き残りはなく綺麗に仕上げることができた。【００７２】
他方、比較用の洗浄剤組成物をトリガー式スプレー容器から被洗浄面であるガラス窓の一部（ガラス面）に噴射させたところ、噴射直後からガラス面で液だれが始まり、１分間程度で全て液だれしてしまった。【００７３】
（２）１ｍ×１ｍ×１ｍの透明アクリル板で形成したボックス内に、生きている蚊を十数匹導入した。透明アクリル板の内面に付着している蚊に、上記のようにして得た本発明のチキソトロピック性組成物からなる忌避剤を噴霧したところ、透明アクリル板に付着するとともに蚊を捕捉し続け、十数分後に確認したところ、蚊は死んでいた。【００７４】
（３）上記のようにして得た本発明のチキソトロピック性組成物からなる飼料（昆虫用）を、夜間にクヌギの木にむかって噴霧して発泡させて付着させた。翌朝、その付着部分を確認したところ、カブトムシが当該飼料を食べていた。【００７５】
上記のように、本発明に係るチキソトロピック性組成物からなる洗浄剤は、家庭内外の傾斜面や垂直面、更には天井面などの被洗浄面に塗布などした場合に、液垂れすることなく塗布部分に滞留し、洗浄成分の本来の効果を充分に発揮させて有効に利用することができる洗浄剤として有効に利用することができる。【００７６】
また、本発明者らは、壁面や天井面に付着している蚊などを捕捉するとともに殺虫する忌避剤としても有効に利用することができることや、例えば、カブトムシやクワガタなどの昆虫を獲るために、クヌギの木などに塗布する飼料としても有効に利用することができることを、実験により確認した。
【図１】
0005391364.tif 000009